(57)【要約】【課題】冷凍サイクル停止時に冷房を継続させる機能を有した車両用空調装置において、車載性向上および低コスト化を図ること。【解決手段】エバポレータ３が搭載された空調ユニット１と、エバポレータ３を含み、冷媒が、コンプレッサ３１、コンデンサ３２、膨張弁３４、エバポレータ３の順で循環する冷凍サイクル３０と、冷凍サイクル３０において、コンプレッサ３１の駆動停止時に、コンデンサ３２側の高圧冷媒をエバポレータ３側に減圧させて供給可能に膨張弁３４と並列に設けられた減圧器３５と、冷凍サイクル３０においてエバポレータ３とコンプレッサ３１との間に接続されて空調ユニット１のケーシング内に設置され、かつ、冷媒を貯留可能に形成されているとともに、内部の冷媒を冷却する蓄冷材を備えた蓄冷タンク７と、を備えていることを特徴とする車両用空調装置とした。【選択図】図１
2009154804.tif 000002
【特許請求の範囲】
【請求項１】
吸入口から車室に連通された吹出口へ向かう送風が形成される送風通路を形成するケーシングに、前記送風通路を通る送風を形成する送風機および送風を冷却するエバポレータが搭載された空調ユニットと、
前記エバポレータを含み、冷媒が、コンプレッサ、コンデンサ、膨張弁、前記エバポレータの順で循環する冷凍サイクルと、
この冷凍サイクルにおいて、前記コンプレッサの駆動停止時に、前記コンデンサ側の高圧冷媒を前記エバポレータ側に減圧させて供給可能に前記膨張弁と並列に設けられた減圧器と、
前記冷凍サイクルにおいて前記エバポレータとコンプレッサとの間に接続されて前記ケーシング内に設置され、かつ、前記冷媒を貯留可能に形成されているとともに、内部の冷媒を冷却する蓄冷材を備えた蓄冷タンクと、
を備えていることを特徴とする車両用空調装置。
【請求項２】
前記蓄冷タンクが、軸直交方向に潰れた扁平筒状に形成されていることを特徴とする請求項１に記載の車両用空調装置。
【請求項３】
前記エバポレータから冷媒が流入される流入パイプ、および、流入された冷媒を前記コンデンサに送る流出パイプが、先端を重力の作用方向である下方に向けて前記蓄冷タンクに挿し込まれ、かつ、前記流入パイプの先端位置が、前記流出パイプの先端位置よりも低い位置に配置されていることを特徴とする請求項１または請求項２に記載の車両用空調装置。
【発明の詳細な説明】
【技術分野】
【０００１】
本発明は、車両用空調装置に関し、特に、コンプレッサ停止状態において冷房運転を継続可能な車両用空調装置に関する。
【背景技術】
【０００２】
近年、車両の低燃費化が進み、停車時に自動的にエンジン停止を行ういわゆるアイドリングストップ制御が行われる場合がある。
このアイドリングストップ制御時には、冷凍サイクルにおいてエンジンにより駆動されるコンプレッサが停止されて冷凍サイクルも作動が停止されるため、このような冷凍サイクルの作動停止状態でも、冷房運転を継続可能な車両用空調装置が求められている。
【０００３】
このようなコンプレッサの駆動停止時に冷房運転を可能とする車両用空調装置として、例えば、特許文献１に記載されたものが知られている。
この特許文献１に記載の車両用空調装置は、空調ユニットの外部において、冷凍サイクルのエバポレータとコンデンサとの間に蓄冷熱交換器が設けられているとともに、蓄冷熱交換機の蓄冷材が放冷する際に凝縮される冷媒を溜める蓄冷タンクが設けられている。
【０００４】
したがって、コンプレッサの駆動が停止された際には、エバポレータで吸熱して蒸発された冷媒は、蓄冷熱交換器の蓄冷材からの放冷によって凝縮液化されて蓄冷タンク側の冷媒体積を縮小させてエバポレータ側をコンデンサ側よりも低圧にできるため、コンデンサ側の冷媒がエバポレータ側へ流入され、エバポレータによる冷却を継続させることができる。
【特許文献１】特開２００７−１４８５号公報
【発明の開示】
【発明が解決しようとする課題】
【０００５】
しかしながら、上述の従来技術では、蓄冷熱交換器および蓄冷タンクが、空調ユニットの外部に設けられているため、車体への組付時において、これらの配管接続作業が必要であり、また、車室内やエンジンルームに、これら蓄冷熱交換器および蓄冷タンクの設置スペースを確保する必要もあり、これらを有しないものと比較して、車載性に劣る。
また、車両により、このような冷凍サイクル停止時に冷房を継続させる機能を有する仕様と、有しない仕様との設定がある場合、車体に蓄冷タンクの設置スペースを確保するために仕様により車体形状を異ならせることになると、大幅なコストアップを招く。
【０００６】
本発明は、上述のような従来の問題に着目して成されたもので、冷凍サイクル停止時に冷房を継続させる機能を有した車両用空調装置において、車載性向上および低コスト化を図ることを目的とする。
【課題を解決するための手段】
【０００７】
上述の目的を達成するため請求項１に記載の発明は、吸入口から車室に連通された吹出口へ向かう送風が形成される送風通路を形成するケーシングに、前記送風通路を通る送風を形成する送風機および送風を冷却するエバポレータが搭載された空調ユニットと、前記エバポレータを含み、冷媒が、コンプレッサ、コンデンサ、膨張弁、前記エバポレータの順で循環する冷凍サイクルと、この冷凍サイクルにおいて、前記コンプレッサの駆動停止時に、前記コンデンサ側の高圧冷媒を前記エバポレータ側に減圧させて供給可能に前記膨張弁と並列に設けられた減圧器と、前記冷凍サイクルにおいて前記エバポレータとコンプレッサとの間に接続されて前記ケーシング内に設置され、かつ、前記冷媒を貯留可能に形成されているとともに、内部の冷媒を冷却する蓄冷材を備えた蓄冷タンクと、を備えていることを特徴とする車両用空調装置とした。
【０００８】
また、請求項２に記載の発明は、請求項１に記載の車両用空調装置において、前記蓄冷タンクが、軸直交方向に潰れた扁平筒状に形成されていることを特徴とする車両用空調装置とした。
【０００９】
また、請求項３に記載の発明では、請求項１または請求項２に記載の車両用空調装置において、前記エバポレータから冷媒が流入される流入パイプ、および、流入された冷媒を前記コンデンサに送る流出パイプが、先端を重力の作用方向である下方に向けて前記蓄冷タンクに挿し込まれ、かつ、前記流入パイプの先端位置が、前記流出パイプの先端位置よりも低い位置に配置されていることを特徴とする請求項１または請求項２に記載の車両用空調装置とした。
【発明の効果】
【００１０】
本発明の車両用空調装置では、コンプレッサが駆動する冷凍サイクルの作動時には、冷媒が、コンプレッサ、コンデンサ、膨張弁、エバポレータ、蓄冷タンクの順で循環する。
このとき、蓄冷タンクでは、エバポレータを通過した冷媒により蓄冷材が冷却され、蓄冷材に蓄冷される。
その後、車両が停止するなどして、コンプレッサの駆動が停止された場合、残圧による差圧により、コンデンサ側の冷媒が減圧器を介して減圧されながらエバポレータへ供給され、さらにエバポレータを通過した後、蓄冷タンクに流入する。そして、蓄冷タンクにおいて、蓄冷材に蓄えられた冷却エネルギにより、減圧器を通過して気化されている冷媒が液化されて体積が縮小されるため、蓄冷タンクおよび蓄冷材を設けないものと比較して、長時間、残圧による冷媒の移動を維持でき、エバポレータによる冷房状態を維持することができる。
【００１１】
このように蓄冷タンクおよび蓄冷材により、コンプレッサ駆動停止後の冷房状態の維持を図ることができる本発明の車両用空調装置では、蓄冷タンクを空調ユニットのケーシング内に設置している。
したがって、本発明の車両用空調装置を車両に搭載する際に、空調ユニットを車体に組み付けることで、蓄冷タンクも車載され、従来のように、蓄冷タンクを空調ユニットのケーシングの外部で車室やエンジンルームに設置するのと比較して、独立した蓄冷タンクの組付作業や、この蓄冷タンクと配管との接続作業が不要であるとともに、車体に蓄冷タンクの設置スペースを確保することが不要であり、車載性に優れる。
また、コンプレッサの駆動停止時に冷房状態を継続させる機能を有する仕様と有しない仕様とを設定する場合に、仕様の違いによる構成の相違は空調ユニットの内部の構成であり、車体側の形状などの共通化を図ることができるとともに、組付作業の共通化を図るのが容易であり、コスト上有利となる。
【００１２】
請求項２に記載の発明では、蓄冷タンクを扁平筒状に形成したため、容量が限られた空調ユニット内において、送風の抵抗にならないような配置が可能となり、より車載性が向上する。
【００１３】
請求項３に記載の発明では、蓄冷タンクの流入パイプを流出パイプよりも、その先端を低く配置したため、エバポレータから送られるミスト状の冷媒が、直接コンプレッサへ送られにくくなり、冷房性能の安定化を図ることができる。
【発明を実施するための最良の形態】
【００１４】
以下、本発明の実施の形態を図面に基づいて説明する。
本実施の形態の車両用空調装置は、吸入口（１１）から車室に連通された吹出口（１２ａ，１２ｂ，１２ｃ）へ向かう送風が形成される送風通路（１８）を形成するケーシング（１ｃ）に、前記送風通路（１８）を通る送風を形成する送風機（４）および送風を冷却するエバポレータ（３）が搭載された空調ユニット（１）と、前記エバポレータ（３）を含み、冷媒が、コンプレッサ（３１）、コンデンサ（３２）、膨張弁（３４）、前記エバポレータ（３）の順で循環する冷凍サイクル（３０）と、この冷凍サイクル（３０）において、前記コンプレッサ（３１）の駆動停止時に、前記コンデンサ（３２）側の高圧冷媒を前記エバポレータ（３）側に減圧させて供給可能に前記膨張弁（３４）と並列に設けられた減圧器（３５）と、前記冷凍サイクル（３０）において前記エバポレータ（３）とコンプレッサ（３１）との間に接続されて前記ケーシング（１Ｃ）内に設置され、かつ、前記冷媒を貯留可能に形成されているとともに、内部の冷媒を冷却する蓄冷材（８ａ，８ｂ）を備えた蓄冷タンク（７）と、を備えていることを特徴とする車両用空調装置である。
【実施例１】
【００１５】
以下に、図１〜図４に基づいて、この発明の最良の実施の形態の実施例１の車両用空調装置Ａについて説明する。
図４は車両用空調装置Ａの構成の概略を示す全体概略図であって、この車両用空調装置Ａは、図示を省略したインストルメントパネル内に設置される空調ユニット１およびこの空調ユニット１の作動を制御するコントロールユニット２を備えている。
【００１６】
空調ユニット１は、図示を省略したインストルメントパネル内に設置され、内外気を選択的に導入可能な吸入口１１から、車室内に繋がる図示を省略した各種ダクトが接続されるデフ吹出口１２ａ，フット吹出口１２ｂ，ベント吹出口１２ｃに至る送風通路１８を形成したケーシング１ｃを備えている。
【００１７】
このケーシング１ｃの送風通路１８には、送風上流側から順に、吸入口１１から各吹出口１２ａ〜１２ｃへ向かう送風を形成するブロワファン４と、送風を冷却するエバポレータ３と、送風を加熱するヒータコア６と、が設置されている。
【００１８】
エバポレータ３は、周知の冷媒を循環する冷凍サイクル３０の構成要素の一つである。この冷凍サイクル３０は、図１に示すように、走行用のエンジンあるいはモータによって駆動されて冷媒を圧縮するコンプレッサ３１と、高圧ガス状の冷媒を冷却して飽和液とするコンデンサ３２と、冷媒の気液分離を行うリキッドタンク３３と、冷媒を低温低圧の蒸気とする膨張弁３４と、を備え、冷媒が、コンプレッサ３１、コンデンサ３２、リキッドタンク３３、膨張弁３４、エバポレータ３の順で循環するよう構成されている。
【００１９】
さらに、本実施例１では、冷凍サイクル３０において、膨張弁３４と並列に減圧器３５が設けられているとともに、エバポレータ３とコンプレッサ３１との間に、蓄冷タンク７が設けられている。
【００２０】
減圧器３５は、膨張弁３４が閉弁した状態でもコンデンサ３２側とエバポレータ３側との連通状態を維持するとともに、コンデンサ３２側の高圧冷媒を減圧気化させる機能を有している。具体的には、膨張弁３４において、閉弁時の封止位置の上流と下流とを連通させるように形成された溝で構成することができる。
蓄冷タンク７は、空調ユニット１のケーシング１ｃ内において、エバポレータ３に並設されており、かつ、扁平の筒状に形成されている。
【００２１】
図２および図３に示すように、蓄冷タンク７は、押出成形により外筒７１と内筒７２とを備えた二重筒状に形成されており、軸方向を重力の作用方向である車両上下方向に略一致する向きに配置されている。
【００２２】
そして、図３に示すように、外筒７１と内筒７２とを連結する連結板７３ａ，７３ｂ，７３ｃが、両筒７１，７２と一体に形成されている。なお、これらの連結板７３ａ，７３ｂ，７３ｃのうち、図において矢印Ｗ方向である幅方向の中央に設けられた連結板７３ｂは、内筒７２を幅方向の直交方向に貫通し、内筒７２の内側に形成された内部室７ｄを２分割している。
また、図２に示すように、内筒７２の上下方向両端に、蓋板７２ａ，７２ｂが溶接などにより結合されて内筒７２の上下両端部が塞がれ、かつ、外筒７１の上下両端部には、外筒７１の外形寸法よりも僅かに大きな内径寸法を有した断面略Ｕ字状の上側キャップ部材７４および下側キャップ部材７５が嵌合され、かつ、溶接により結合されている。
したがって、蓄冷タンク７の上下両端には、外筒７１および内筒７２の内部と区画された上流室７ａと下流室７ｂとが形成され、これら上流室７ａと下流室７ｂとが、外筒７１と内筒７２との間で軸方向に延在された連通路７ｃにより連通されている。
【００２３】
また、内筒７２の内部室７ｄには、蓄冷材８ａが充填されている。この蓄冷材８ａは、冷媒と熱交換を行って、冷媒が有する冷却エネルギを蓄えることができるもので、例えば、パラフィン、吸水性ポリマ、植物セルロース、水、ＬＬＣなどを用いることができる。
さらに、外筒７１の外周にもシート状の蓄冷材８ｂが巻き付けられている。
【００２４】
そして、蓄冷タンク７の上流室７ａには、冷凍サイクル３０において、エバポレータ３から冷媒が送られる流入パイプ３６が上側キャップ部材７４を貫通して接続されている。
一方、蓄冷タンク７の下流室７ｂには、蓄冷タンク７からコンプレッサ３１へ冷媒を送る流出パイプ３７が下側キャップ部材７５を貫通して接続されている。
【００２５】
なお、コントロールユニット２は、室内温度環境因子の検出を行う各種センサから成るセンサ群ＳＥからの入力に基づいて、図示を省略した設定スイッチにより設定された室温を形成するべく、吹出風量や吹出空気温度を制御する。
【００２６】
次に、実施例１の車両用空調装置Ａの作動について説明する。
車両走行時に、実施例１の車両用空調装置Ａの冷房運転を行うと、コンプレッサ３１が、図外のエンジンあるいはモータにより駆動され、冷凍サイクル３０が作動する。
この場合、コンプレッサ３１で圧縮して吐出された冷媒は、コンデンサ３２で凝縮液化され、リキッドタンク３３で気液分離された後、膨張弁３４で減圧され、エバポレータ３で吸熱して蒸発され、このとき、空調ユニット１の送風通路１８の送風を冷却する。
【００２７】
そして、エバポレータ３で蒸発した冷媒は、流入パイプ３６を通って蓄冷タンク７に流入し、蓄冷タンク７の上流室７ａから、連通路７ｃを通って下流室７ｂへ移動する間に、連通路７ｃの内外に配置された蓄冷材８ａ，８ｂを冷却し、これら蓄冷材８ａ，８ｂに冷却エネルギが蓄えられる。また、下流室７ｂの冷媒は、流出パイプ３７からコンプレッサ３１の吸入側へ移動する。
【００２８】
次に、アイドルストップ制御時の作動について説明する。
すなわち、コントロールユニット２は、車両の停止時に、自動的に図外のエンジンの駆動を停止させるいわゆるアイドルストップ制御を実行する。
このアイドルストップ制御時には、冷凍サイクル３０におけるコンプレッサ３１の駆動が停止される。
【００２９】
このとき、冷凍サイクル３０では、残圧により、コンプレッサ３１の吐出側で高圧となっているコンデンサ３２およびリキッドタンク３３と、膨張弁３４で減圧された後の低圧側のエバポレータ３および蓄冷タンク７とで差圧が生じている。
そこで、この差圧により、冷媒が、減圧器３５を介して、リキッドタンク３３側からエバポレータ３へ流入する。
したがって、エバポレータ３では、コンプレッサ３１の停止後も、残圧によりリキッドタンク３３から送られる冷媒により、送風通路１８との熱交換が行われて、冷房が行われる。
【００３０】
また、このエバポレータ３における熱交換により加熱ガス化した冷媒は、流入パイプ３６から蓄冷タンク７の上流室７ａへ流入し、重力により連通路７ｃを移動する間に、蓄冷材８ａ，８ｂにより冷却されて凝縮液化され、下流室７ｂに貯められる。
【００３１】
このように、蓄冷タンク７において、冷媒が凝縮されて体積を縮小させることから、エバポレータ３および蓄冷タンク７が低圧に保たれ、コンプレッサ３１の停止後も、冷媒が、継続的にエバポレータ３に送られて冷房が継続して実行される。
なお、この継続的な冷房は、蓄冷材８ａ，８ｂが、冷媒凝縮を実行可能な温度である間行われることになる。
【００３２】
以上説明した実施例１の車両用空調装置Ａでは、蓄冷タンク７を空調ユニット１のケーシング１ｃの内部に設置したため、車両用空調装置Ａを車両に搭載する際に、空調ユニット１を車体に組み付けることで、蓄冷タンク７も車載され、従来のように、蓄冷タンク７を空調ユニット１のケーシング１ｃの外部で車室やエンジンルームに設置するのと比較して、独立した蓄冷タンク７の組付作業や、この蓄冷タンク７と配管との接続作業が不要であり、車載性に優れる。
また、コンプレッサ３１の駆動停止時に冷房状態を継続させる機能を有する仕様と有しない仕様とを設定する場合に、仕様の違いによる構成の相違は空調ユニット１の内部の構成であり、車体側の形状などの共通化を図ることができるとともに、組付作業の共通化を図るのが容易であり、車載性に優れるとともに低コスト化を図ることができる。
【００３３】
さらに、蓄冷タンク７を扁平筒状に形成したため、容量が限られた空調ユニット１内において、送風通路１８の送風の抵抗にならないように配置することが可能となり、扁平状でない場合と比較して、車載性に優れる。
【００３４】
加えて、本実施例１では、蓄冷タンク７において、冷媒が流通する連通路７ｃの内外を蓄冷材８ａ，８ｂで囲んだ構造としたため、蓄冷材８ａ，８ｂをいずれか一方のみとした場合と比較して、蓄冷タンク７における冷媒冷却性能が高く、コンプレッサ３１の停止時における冷房継続性能を高めることができる。
【００３５】
しかも、蓄冷タンク７は、押出成形材の二重筒構造部分の両端を上側キャップ部材７４および下側キャップ部材７５で塞いで形成しているため、製造が容易であり、低コスト化を図ることができる。
【００３６】
また、蓄冷タンク７では、上端の上流室７ａにエバポレータ３からの冷媒を流入させ、下端の下流室７ｂからコンプレッサ３１へ流出させるようにしたため、エバポレータ３から流入されるミスト状の冷媒が、直接コンプレッサ３１へ送られ難く、冷凍サイクル３０の作動安定化を図ることができる。
【００３７】
（他の実施例）
以下に、本発明の実施の形態の他の実施例について説明する。
なお、これら他の実施例を説明するのにあたり、実施例１と共通する構成には、実施例１で示した符号を付けることで、説明を省略する。また、作用についても、実施例１と共通する作用については説明を省略する。
【実施例２】
【００３８】
図５に基づいて、本発明の実施の形態の実施例２の車両用空調装置について説明する。
図５は、実施例２の車両用空調装置の冷凍サイクル２３０を示す構成説明図であり、実施例１との相違点は、膨張弁３４と並列に減圧器２３５が設けられ、リキッドタンク３３と膨張弁３４との間に、リキッドタンク３３からの冷媒を膨張弁３４のみに流す膨張弁側開状態と、減圧器２３５のみに流す減圧器側開状態とに切り換える切換弁２００を設けた例である。
【００３９】
なお、切換弁２００の切り換えはコントロールユニット２により行われる。すなわち、コントロールユニット２が、切換弁２００を、コンプレッサ３１の駆動時に膨張弁側開状態とし、コンプレッサ３１の駆動停止時に減圧器側開状態とするよう制御する。
【００４０】
この実施例２の車両用空調装置では、膨張弁３４として、閉弁状態でも減圧器の機能を有するものを用いずに、既存の膨張弁３４を用いることができる。
なお、蓄冷タンク７を空調ユニット１のケーシング１ｃの内部に設置したことによる車載性向上、仕様の違いによる車体側の形状などの共通化を図って車載性向上ならびに低コスト化を図ることができる点、蓄冷タンク７を扁平筒状に形成したことによる車載性向上の点、蓄冷タンク７において、連通路７ｃの内外を蓄冷材８ａ，８ｂで囲んだ構造としたことにより冷房継続性能を向上できる点、蓄冷タンク７を、押出成形材の二重筒構造部分の両端を上側キャップ部材７４および下側キャップ部材７５で塞いで形成したことにより低コスト化を図ることができる点、蓄冷タンク７を、上端の上流室７ａにエバポレータ３からの冷媒を流入させ、下端の下流室７ｂからコンプレッサ３１へ流出させるようにしたことにより、冷凍サイクル３０の作動安定化を図ることができる点、については実施例１と同様である。
【実施例３】
【００４１】
図６および図７に基づいて、本発明の実施の形態の実施例３の車両用空調装置について説明する。
図６は実施例３の車両用空調装置に用いた蓄冷タンク３０７を示す縦断面図、図７は蓄冷タンク３０７の横断面図である。
【００４２】
図６および図７に示すように、蓄冷タンク３０７は、円筒状の外筒３７１と内筒３７２とを備え、外筒３７１の上下両端を蓋板３７４，３７５で塞ぐとともに、内筒３７２の上下を蓋板３７６，３７５で塞いで、外筒３７１と内筒３７２との間に、冷媒用空間３７３が形成されている。
【００４３】
また、実施例１と同様に、内筒３７２の内側に、蓄冷材８ａが充填されているとともに、外筒３７１の外周には、シート状の蓄冷材８ｂが巻き付けられている。
【００４４】
そして、流入パイプ３３６は、蓄冷タンク３０７の上端部から冷媒用空間３７３に挿し込まれて、冷媒用空間３７３の底部まで延在されている。一方、流出パイプ３３７は、蓄冷タンク３０７の上端部から冷媒用空間３７３に挿し込まれて、先端が流入パイプ３３６よりも高い位置に配置されている。
【００４５】
以上のように、実施例３では、蓄冷タンク３０７の外筒３７１および内筒３７２として、既存の安価な円筒状のパイプを用いているため、安価に製造することができる。
【００４６】
また、実施例３では、両パイプ３３６，３３７を蓄冷タンク３０７の上端部から挿し込む構造であるが、エバポレータ３に接続された流入パイプ３３６を、流出パイプ３３７よりも低い位置に配置したため、エバポレータ３から送られるミスト状の冷媒が、直接流出パイプ３３７に吸い込まれてコンプレッサ３１へ送られることが生じにくく、冷房性能の安定化を図ることができる。
なお、蓄冷タンク７を空調ユニット１のケーシング１ｃの内部に設置したことによる車載性向上、仕様の違いによる車体側の形状などの共通化を図って車載性向上ならびに低コスト化を図ることができる点、については実施例１と同様である。
【実施例４】
【００４７】
図８に基づいて、本発明の実施の形態の実施例４の車両用空調装置について説明する。
図８は実施例４の車両用空調装置に用いた蓄冷タンク４０７を示す断面図である。
この実施例４は、実施例３の変形例であり、流出パイプ４３７の先端を、冷媒用空間３７３の上部に配置し、さらに、流出パイプ４３７の先端の直ぐ下方に、流入パイプ３３６から冷媒用空間３７３に供給されるミスト状の冷媒が、直接、流出パイプ３３７に流入するのを妨げる遮蔽板４０１を設けた例である。
【００４８】
このように、実施例４では、両パイプ３３６，４３７を蓄冷タンク４０７の上端部から挿し込む構造であるが、流出パイプ４３７の先端を、流入パイプ３３６の先端よりも高い位置に配置し、さらに、流出パイプ４３７の直ぐ下に遮蔽板４０１を設けた。このため、流入パイプ３３６から冷媒用空間３７３に供給されるミスト状の冷媒が、直接流出パイプ４３７に吸入されにくくなり、冷凍サイクル３０の作動の安定化を図ることができる。
なお、蓄冷タンク７を空調ユニット１のケーシング１ｃの内部に設置したことによる車載性向上、仕様の違いによる車体側の形状などの共通化を図って車載性向上ならびに低コスト化を図ることができる点、については実施例１と同様である。
【００４９】
以上、図面を参照して、本発明の実施の形態および実施例１〜実施例４について詳述してきたが、具体的な構成は、この実施の形態および実施例１〜実施例４に限らず、本発明の要旨を逸脱しない程度の設計的変更は、本発明に含まれる。
【００５０】
例えば、実施例１〜実施例４では、蓄冷タンクとして、扁平楕円形状のものおよび円形状のものを示したが、これに限定されず、長方形や四角形あるいは多角形状のものなど他の形状のものを用いてもよい。
【００５１】
また、実施例１〜実施例４では、蓄冷タンクを、内外に二重構造として、内側に蓄冷材８ａを設けた例を示したが、蓄冷材を外側のみに設ける場合には、蓄冷タンクを二重構造とする必要はない。あるいは、二重構造の蓄冷タンクの内側のみに蓄冷材を設けるようにしてもよい。
【図面の簡単な説明】
【００５２】
【図１】本発明の最良の実施の形態の実施例１の車両用空調装置Ａに用いた冷凍サイクル３０を示す構成説明図である。
【図２】実施例１の車両用空調装置Ａに用いた蓄冷タンク７を示す縦断面図であって、図３のＳ２−Ｓ２線で切断した状態を示している。
【図３】実施例１の車両用空調装置Ａに用いた蓄冷タンク７を示す縦断面図であって、図２のＳ３−Ｓ３線で切断した状態を示している。
【図４】本発明の最良の実施の形態の実施例１の車両用空調装置Ａの構成を示す構成説明図である。
【図５】実施例２の車両用空調装置における冷凍サイクル２３０を示す構成説明図である。
【図６】実施例３の車両用空調装置に用いた蓄冷タンク３０７を示す縦断面図であって、図７のＳ６−Ｓ６線で切断した状態を示している。
【図７】実施例３の車両用空調装置に用いた蓄冷タンク３０７を示す横断面図であって、図６のＳ７−Ｓ７線で切断した状態を示している。
【図８】実施例４の車両用空調装置に用いた蓄冷タンク４０７を示す縦断面図である。
【符号の説明】
【００５３】
Ａ     車両用空調装置
１     空調ユニット
１ｃ   ケーシング
３     エバポレータ
４     ブロワファン（送風機）
７     蓄冷タンク
８ａ   蓄冷材
８ｂ   蓄冷材
１８   送風通路
３０   冷凍サイクル
３１   コンプレッサ
３２   コンデンサ
３３   リキッドタンク
３４   膨張弁
３５   減圧器
３６   流入パイプ
３７   流出パイプ
２３０ 冷凍サイクル
２３５ 減圧器
３０７ 蓄冷タンク
３３６ 流入パイプ
３３７ 流出パイプ
４０７ 蓄冷タンク
４３７ 流出パイプ
【図１】
2009154804.tif 000003
【図２】
2009154804.tif 000004
【図３】
2009154804.tif 000005
【図４】
2009154804.tif 000006
【図５】
2009154804.tif 000007
【図６】
2009154804.tif 000008
【図７】
2009154804.tif 000009
【図８】
2009154804.tif 000010